(57)【要約】【課題】  外出時等において身に付けるべき装身具に発光ダイオードを配設し、携帯電話の受信時をその装身具の発光によって知らせると共に、装身具の美観の向上を図ることを課題とする。【解決手段】  係る課題は携帯電話の受信時又は使用時の高周波を検知する検知部と、発光ダイオードと、電源とを有する装身具であり、検知部により携帯電話の受信時又は使用時の高周波を検知した場合に該電源により該発光ダイオードが発光することを特徴とする発光装身具によって解決できる。【選択図】    図１
0003106316.tif 000002
【実用新案登録請求の範囲】
【請求項１】
携帯電話の受信時又は使用時の高周波を検知する検知部３と、発光ダイオード２と、電源５とを有する装身具であり、検知部３により携帯電話の受信時又は使用時の高周波を検知した場合に該電源５により該発光ダイオード２が発光することを特徴とする発光装身具。
【請求項２】
携帯電話の受信時又は使用時の高周波を検知する検知部３と、発光ダイオード２と、電源５とを有する指輪１であり、検知部３により携帯電話の受信時又は使用時の高周波を検知した場合に該電源５により該発光ダイオード２が発光する指輪１よりなることを特徴とする発光装身具。
【請求項３】
指輪１の指嵌着部１０内に検知部３を有し、指輪装飾部１１に発光ダイオード２を配設した指輪１よりなることを特徴とする請求項２記載の発光装身具。
【請求項４】
携帯電話の受信時又は使用時の高周波を検知する検知部３と、発光ダイオード２と、電源５とを有する腕時計のベルト６であり、検知部３により携帯電話の受信時又は使用時の高周波を検知した場合に該電源５により該発光ダイオード２が発光する腕時計のベルト６よりなることを特徴とする発光装身具。
【請求項５】
携帯電話の受信時又は使用時の高周波を検知する検知部３と、発光ダイオード２と、電源５とを有するブレスレット７であり、検知部３により携帯電話の受信時又は使用時の高周波を検知した場合に該電源５により該発光ダイオード２が発光するブレスレット７よりなることを特徴とする発光装身具。
【請求項６】
携帯電話の受信時又は使用時の高周波を検知する検知部３と、発光ダイオード２と、電源５とを有する眼鏡８であり、検知部３により携帯電話の受信時又は使用時の高周波を検知した場合に該電源５により該発光ダイオード２が発光する眼鏡８よりなることを特徴とする発光装身具。
【請求項７】
携帯電話の受信時又は使用時の高周波を検知する検知部３と、発光ダイオード２と、電源５とを有するネクタイピン９０であり、検知部３により携帯電話の受信時又は使用時の高周波を検知した場合に該電源５により該発光ダイオード２が発光するネクタイピン９０よりなることを特徴とする発光装身具。
【請求項８】
携帯電話の受信時又は使用時の高周波を検知する検知部３と、発光ダイオード２と、電源５とを有するネックレス９５であり、検知部３により携帯電話の受信時又は使用時の高周波を検知した場合に該電源５により該発光ダイオード２が発光するネックレス９５よりなることを特徴とする発光装身具。
【請求項９】
携帯電話の受信時又は使用時の高周波を検知する検知部３と、発光ダイオード２と、電源５とを有するベルトのバックルであり、検知部３により携帯電話の受信時又は使用時の高周波を検知した場合に該電源５により該発光ダイオード２が発光するベルトのバックルよりなることを特徴とする発光装身具。
【請求項１０】
携帯電話の受信時又は使用時の高周波を検知する検知部３と、発光ダイオード２と、電源５とを有するベルト革であり、検知部３により携帯電話の受信時又は使用時の高周波を検知した場合に該電源５により該発光ダイオード２が発光するベルト革よりなることを特徴とする発光装身具。
【請求項１１】
発光ダイオードの発光が点滅であることを特徴とする請求項１乃至１０のいずれかに記載の発光装身具。
【請求項１２】
電源がボタン電池である事を特徴とする請求項２乃至１０のいずれかに記載の発光装身具。
【考案の詳細な説明】
【技術分野】
【０００１】
本考案は、携帯電話等の受信信号を受信し、この受信により装身具に内設した発光ダイオードを点灯させることにより携帯電話等の受信を知らせる発光装身具に関する。
【背景技術】
【０００２】
従来より、携帯電話の受信信号を受信し、発光ダイオードを点灯させて受信を知らせるための携帯電話の発光ダイオードを配設したアンテナは多用されている。
これは、携帯電話の使用時に発生する高周波をコイル等で受信し、これに基づいて点灯を行うものである。
この場合、例えば送受信機の作動時のアンテナ上の高周波エネルギーで発光させるものであり、携帯電話の高周波を受信できる近傍に発光ダイオードを配設したアンテナを配設する事が必要である。
更に同じく携帯電話のストラップに発光ダイオードを配設したストラップ小物も存在する。
これも同様な構成であり、携帯電話の高周波を受信できる近傍に発光ダイオードを配設したアンテナを配設する事が必要である。
【考案の開示】
【考案が解決しようとする課題】
【０００３】
この場合、携帯電話に関しては、通常はポケット内や鞄内にしまっておき、受信を知らせる音や振動によって受信を感知して通話を開始するのがほとんどであり、これらの発光ダイオードの発光は携帯電話使用時の美観を生じさせるために用いられているものである。
更に、これらの発光ダイオードの発光は携帯電話の使用時の高周波に依存して発光するものであることから、携帯電話から離れた場所に発光素子を位置させる事はできず、その配設箇所は携帯電話に繋げて又は配設としてしか使用できないものであった。
【課題を解決するための手段】
【０００４】
本考案は上記課題を解消し、装身具に発光ダイオードを配設し、携帯電話の受信時をその装身具の発光によって知らせることを可能とするものであり、係るために請求項１記載の考案は、携帯電話の受信時又は使用時の高周波を検知する検知部と、発光ダイオードと、電源とを有する装身具であり、検知部により携帯電話の受信時又は使用時の高周波を検知した場合に該電源により該発光ダイオードが発光する発光装身具であり、係る考案によって高周波を検知し、電源により該発光ダイオードを発光でき、前記課題を解決できる。
又、請求項２の考案は、携帯電話の受信時又は使用時の高周波を検知する検知部と、発光ダイオードと、電源とを有する指輪であり、検知部により携帯電話の受信時又は使用時の高周波を検知した場合に該電源により該発光ダイオードが発光する指輪よりなる発光装身具であり、係る考案によって指輪を発光可能とする。
この場合、請求項３の考案のように指輪の指嵌着部内に検知部を有し、指輪装飾部に発光ダイオードを配設した指輪よりなる発光装身具であってもよい。
【０００５】
この他、請求項４の考案のように携帯電話の受信時又は使用時の高周波を検知する検知部と、発光ダイオードと、電源とを有する腕時計のベルトであり、検知部により携帯電話の受信時又は使用時の高周波を検知した場合に該電源により該発光ダイオードが発光する腕時計のベルトよりなる発光装身具であってもよい。  又、請求項５の考案のように携帯電話の受信時又は使用時の高周波を検知する検知部と、発光ダイオードと、電源とを有するブレスレットであり、検知部により携帯電話の受信時又は使用時の高周波を検知した場合に該電源により該発光ダイオードが発光するブレスレットよりなる発光装身具でも、請求項６の考案の様に携帯電話の受信時又は使用時の高周波を検知する検知部と、発光ダイオードと、電源とを有する眼鏡であり、検知部により携帯電話の受信時又は使用時の高周波を検知した場合に該電源により該発光ダイオードが発光する眼鏡よりなる発光装身具でもよい。
【０００６】
これらの他、請求項７の考案のように携帯電話の受信時又は使用時の高周波を検知する検知部と、発光ダイオードと、電源とを有するネクタイピンであり、検知部により携帯電話の受信時又は使用時の高周波を検知した場合に該電源により該発光ダイオードが発光するネクタイピンよりなる発光装身具でも、請求項８の考案のように携帯電話の受信時又は使用時の高周波を検知する検知部と、発光ダイオードと、電源とを有するネックレスであり、検知部により携帯電話の受信時又は使用時の高周波を検知した場合に該電源により該発光ダイオードが発光するネックレスよりなる発光装身具でも、請求項９の考案のように携帯電話の受信時又は使用時の高周波を検知する検知部と、発光ダイオードと、電源とを有するベルトのバックルであり、検知部により携帯電話の受信時又は使用時の高周波を検知した場合に該電源により該発光ダイオードが発光するベルトのバックルよりなる発光装身具でも、請求項１０の考案のように携帯電話の受信時又は使用時の高周波を検知する検知部と、発光ダイオードと、電源とを有するベルト革であり、検知部により携帯電話の受信時又は使用時の高周波を検知した場合に該電源により該発光ダイオードが発光するベルト革よりなる発光装身具でもよい。
【０００７】
これらの場合、請求項１１の考案のように発光ダイオードの発光が点滅である発光装身具でもよく、更には請求項１２の考案のように電源がボタン電池を用いるものであってもよい。
以上の様に各種装身具に付いて、携帯電話の受信時又は使用時の高周波を検知する検知部と、発光ダイオードと、電源とを配設することにより、該装身具の発光ダイオードを発光させることを可能とするものである。
【考案の効果】
【０００８】
以上の様に、携帯電話の受信時をその装身具の発光によって知らせることを可能とするものであって、特に、携帯電話の受信時を携帯電話から若干離れた場所においても検知でき、この検知に基づいて発光ダイオードを点灯可能として、その受信時を早期に知らせることを可能とするものとなる。
更に装身具に発光ダイオードを配設することからその装身具の装飾的価値を高めることができることともなる。
併せて、受信時のみならず、携帯電話の使用時にも発光ダイオードを点灯させて装飾品の装飾的価値を高めることを可能とするものである。
【考案を実施するための最良の形態】
【０００９】
本考案の実施の形態を説明するに図１は、装身具である指輪１に発光ダイオード２を配設した一例を示す図である。
本図に示すように指嵌着部１０と共にそれに連接した指輪装飾部１１には多数の発光表示部１２を有しており、この指輪装飾部１１内に配設された発光ダイオード２が発光することにより、該発光表示部１２が点灯することとなる。
尚、本図は多数の発光表示部１２を有する形態を示すが、一又は二以上の複数の発光表示部１２を有するものであってもよい。
更に一の発光ダイオード２を内設する場合に限らず二以上の複数の発光ダイオードを内設したものであってもよい。
即ち、発光表示部１２に発光ダイオード２を配設したものであっても、或いは指輪装飾部１１内を空洞としてその内部に発光ダイオード２を配設し、発光表示部１２から発光ダイオード２の発光が視認可能な状態となっているものであってもよい。
【００１０】
図２は図１の断面図であり、指嵌着部１０内には携帯電話の受信時又は発信時に生ずる高周波を検知する検知部３が配設されており、係る検知部３により携帯電話の受信又は発信時の携帯電話から発生する高周波を検知する。
更に係る検知部３は、回路基板４に連接されていると共に電源５を内設している。
又、回路基板４には発光ダイオード２が連接されている。
以上の様に、携帯電話の受信又は発信時の携帯電話から発生する高周波を検知部３により検知した場合には、電源５からの電流を発光ダイオード２に流す。
従って、指輪１内の電源５により発光ダイオード２を点灯させることができることとなる。
この場合、高周波を検知に対応して電源５を用いて発光ダイオード２を発光させるものであり、その回路構成は一般的なものであれば足りる。
以上の様に構成することにより、携帯電話から若干離れた位置においても携帯電話の受信を検知できると共に指輪１の装飾的効果をも高めることができることとなる。
電源５としては例えばボタン電池などを用いればよい。
【００１１】
更に、本図に示す様に指輪１の指嵌着部１０の内周面には電池が内設可能な空洞部を有しており、これを蓋体１３で覆っているものであることから、電源としての電池５の交換を容易にしている。
尚、検知部３の配設位置や発光ダイオード２の配設位置又は電源５の配設状態等は一例であり、この図の構成に限定されるものではない。
図３は、腕時計Ａのベルト６に検知部３と発光ダイオード２と電源５を配設した一例を示すベルト６の断面図である。
このベルト６は装身具の一つに該当するものである。
ベルト６内に配設した検知部３によって、携帯電話の受信又は発信時の携帯電話から発生する高周波をこの検知部３により検知し、これによって電源５を用いて発光ダイオード２を発光させる。
この様に構成することにより、携帯電話の受信時や使用時において時計のベルト６が発光し、受信を早期に検知できるばかりでなく、ベルト６の装飾的価値を高めることができる。
【００１２】
尚、検知部３の配設位置や発光ダイオード２の配設位置又は電源５の配設状態は一例であり、この図の構成に限定されるものではない。
特に、腕時計のベルト６に発光ダイオード２を用いることにより、ベルト６の装飾的効果を高めることができるばかりでなく、腕時計全体の装飾的価値を高めることができ、更には自己の所有する一の腕時計に、多種類の本考案に係る装飾的価値の高いベルトを自由に付け替えることができるものであり、時計本体に発光機能を設けたものと異なり、高額な腕時計自体の買い替えを必要とせずに時計ベルトのみの交換で各種の装飾的効果を得られ、極めて低額でかつ簡単に付け替えを可能とする。
図４は、装身具の一つであるブレスレット７に検知部３と発光ダイオード２と電源５を配設した一例を示すブレスレット７を示す図である。
この様に構成することによって、携帯電話の受信時や使用時においてブレスレット７が発光することとなる。
この場合においても、本構成は一例であり、この構成にとらわれるものではない。
【００１３】
例えばブレスレット７の形態に応じて任意の形状又は位置に検知部３と発光ダイオード２と電源５とを有するものであればよい。
尚、４は回路基板である。
図５は、眼鏡８に検知部３と発光ダイオード２と電源５を配設した一例を示す眼鏡８の図を示す。
眼鏡８のフレーム８１の付け根部分に電源５を配設すると共に該付け根部分に発光ダイオード２を配設し、更にはフレーム８１の蔓部分方向に検知部３を配設したものである。
本図に示すように眼鏡８のフレーム８１部分が発光ダイオード２の点灯により、点灯し、携帯電話の受信を知らせる事を可能とすると共にフレーム８１の装飾的効果を高めることができる。
尚、これらの具体的な回路構成等は前述と同様、携帯電話の受信時又は使用時の高周波を感知する検知部３により、高周波を検知した場合に電源を用いて発光ダイオードを発光させるものであればよく、一般的に使用している構成で足りるものであり、一例の回路基板４の配設箇所のみ明示しているがその詳細等は図面上及び明細書上は省略しているものである。
【００１４】
図６は、ネクタイピン９０に検知部３と発光ダイオード２と電源５を配設した一例を示す図である。
この様に構成することにより検知部３で携帯電話の高周波を検知し、回路基板４を介して電源を用いて発光ダイオード２を発光することができ、携帯電話の受信を知らせるばかりでなく、その装飾的価値を高められる。
図７は、ネックレス９５に検知部３と発光ダイオード２と電源３を配設した一例を示す図である。
本図ではネックレスの連通用紐上部材に検知部３を配設しているがこれに限らずネックレスを構成する一の又は複数の装飾体９５０内に配設したものであってもよい。
又、本図では一の装飾体９５０内に電源５と回路基板４と発光ダイオード２を配設して構成しているが、本構成にとらわれるものではなくネックレスの形状に応じて適宜配設箇所等を定めればよい。
【００１５】
以上の様に装身具に少なくとも検知部３と電源５と発光ダイオード２とを有し、携帯電話の受信時又は使用時の高周波を検知して発光ダイオード２を電源５を用いて発光可能とするものであればよい。
又、発光ダイオード２の配設箇所や配設個数もそれぞれの装身具の形状等に応じて任意に定めればよく、更には発光ダイオードを表面に表出されているものに限らず装身具内に内設し、この発光を外部から視認可能な表示部を用いたものであってもよい。
更に、本考案に係る発光ダイオードの発光は、点灯状態を維持するものに限らず点滅状態とするものであってもよい。
更には必要に応じて点灯、点滅を混在した発光ダイオードの発光を行うものであってもよい。
少なくとも、発光ダイオードが発光するものであればよい。
次に、回路構成も前述のように一般的な回路構成であればよく、検知部で高周波を検知した際に電源により発光ダイオードを発光させるものであればよく、本明細書上に示す回路基板を用いたものに限らず他の構成をとるものであってももちろんよい。
【００１６】
本明細書上具体的な回路基板の構成や形状或いは回路構成等は一般的なものでよいことから省略している。
更に、本明細書の図面上電源の着脱を行う蓋体を明示していない図があるが、必要に応じて及び必要な箇所に電源の着脱を可能とする蓋体を有する構成であってもよい。
尚、本明細書上装身具とは、身に付ける装飾用の小物類を意味するものであり、例えば図示している指輪１、腕時計のベルト６、ブレスレット７、眼鏡８、ネクタイピン９０、ネックレス９５を意味し、これらに限らずベルトのバックル、ベルト革、ブローチ、カフスボタン、ペンダント、イヤリングが該当するものである。
但し、本明細書上装身具は前記列記のものに限定するものであり、本明細書上の装身具とは指輪１、腕時計のベルト６、ブレスレット７、眼鏡８、ネクタイピン９０、ネックレス９５、ベルトのバックル、ベルト革、ブローチ、カフスボタン、ペンダント、イヤリングを意味するものである。
従って、これら以外のものは含まず、他のものは本明細書上装身具には該当しないものである。
特に、時計自体は本明細書上装身具には該当せず、更にはライターも喫煙具である事から本明細書上装身具には該当しない。
【図面の簡単な説明】
【００１７】
【図１】本考案に係る発光装身具であって、指輪に発光ダイオードを配設した一例を示す図
【図２】図１の断面図
【図３】本考案に係る発光装身具であって、時計のベルトに発光ダイオードを配設した一例を示す図
【図４】本考案に係る発光装身具であって、ブレスレットに発光ダイオードを配設した一例を示す図
【図５】本考案に係る発光装身具であって、眼鏡に発光ダイオードを配設した一例を示す図
【図６】本考案に係る発光装身具であって、ネクタイピンに発光ダイオードを配設した一例を示す図
【図７】本考案に係る発光装身具であって、ネックレスに発光ダイオードを配設した一例を示す図
【符号の説明】
【００１８】
１        指輪
１０      指嵌着部
１１      指輪装飾部
１２      発光表示部
１３      蓋体
２        発光ダイオード
３        検知部
４        回路基板
５        電源
６        ベルト
７        ブレスレット
８        眼鏡
８１      眼鏡のフレーム
９０      ネクタイピン
９５      ネックレス
９５０    装飾体
【図１】
0003106316.tif 000003
【図２】
0003106316.tif 000004
【図３】
0003106316.tif 000005
【図４】
0003106316.tif 000006
【図５】
0003106316.tif 000007
【図６】
0003106316.tif 000008
【図７】
0003106316.tif 000009